(57)【特許請求の範囲】
【請求項１】
有線回線を介して接続する第１の装置と第２の装置とを備え、
上記第１の装置は、
電気信号に直流電圧を重畳して上記有線回線を介して上記第２の装置へ伝送する電圧重畳部と、
上記有線回線との接続端の電圧を判定する判定部と、
上記判定部の判定結果を報知する報知部と、を有してなり、
上記第２の装置は、
上記第１の装置から受信した電気信号に上記重畳された電圧と極性が反対となる電圧を重畳する逆電圧重畳部と、
を有してなることを特徴とする検出装置。
【請求項２】
上記判定部は、上記接続端の電圧が基準となる電圧よりも小さいと判定したときに判定結果を報知部に出力をする回路で構成されている請求項１に記載の検出装置。
【請求項３】
上記基準となる電圧は２種類あり、
第１の基準電圧は、上記電気信号に電圧が重畳されたときの電圧と、この重畳されたときの電圧の略半分の電圧の間となる電圧であり、
第２の基準電圧は、上記略半分の電圧と、上記電気信号の電圧の間となる電圧である請求項２記載の検出装置。
【請求項４】
上記第２の装置は、上記有線回線との接続端の電圧を判定する第２の判定部と、この第２の判定部の判定結果に応じて動作する信号処理部と、をさらに有する請求項１記載の検出装置。
【請求項５】
上記第２の判定部は、上記接続端の電圧が基準となる電圧よりも大きいと判定したときに判定結果を報知部に出力をする回路で構成されている請求項４に記載の検出装置。
【発明の詳細な説明】
【技術分野】
【０００１】
本発明は、映像や音声等の信号を伝送する装置をケーブルによって接続する際に、対向装置におけるケーブルの接続状況及び動作状態を他方の装置において検出することができる検出装置及び同装置を用いたケーブル接続検出方法に関するものである。
【背景技術】
【０００２】
ＬＡＮケーブルや同軸ケーブルなどによって送信装置と受信装置を接続し、映像や音声などの信号を伝送する場合、ケーブル長が一定以上の長さになると信号が減衰して正常な信号出力ができなくなる。また、受信装置側で信号に歪みが生じて、正しい出力（再生）ができなくなる。このような信号レベルの減衰や信号の歪みを防止するため、伝送する信号の増幅・整形を行なうケーブル延長装置が知られている。ケーブル延長装置は、上記のような送信装置、受信装置と延長ケーブルの間に用いる装置である。このようなケーブル延長装置（また機能）を用いる場合、送信装置と受信装置が互いに距離を隔てて設置されるため、対向する装置のそばで作業する作業員は、相手装置のケーブル接続状況や、動作状況（例えば電源の投入状態）を視認することができない。
【０００３】
このような状況下において、対向装置の状況を手元側の装置で把握するためには、各装置近傍に設置要員を配置して、互いにトランシーバなど通信手段を用いて状況確認を行なうか、または、信号伝送ケーブルとは他に各装置間を接続する通信ケーブルを用いて、装置同士の状況を通信しあうようにするなどの、手段を用意する必要がある。
【０００４】
このような課題を解決するために、信号伝送に用いるケーブルのみを用いて、相手装置におけるケーブル接続状況を検出することができるシステムが知られている（特許文献１を参照）。特許文献１に記載されているＡＶシステムは、片側の装置（例えば送信装置）にケーブルが接続されると、当該装置に備える同期信号検出手段が動作し、伝送する映像信号に含まれる同期信号を抽出して、この同期信号を評価し、この評価結果によって対向装置にケーブルが接続されたか否かを判定することができるものである。
【０００５】
【特許文献１】特開平５−８３７４８号公報
【０００６】
上記のＡＶシステムは、同期信号を用いる映像信号の伝送路の接続検出にのみ用いることができるので、同期信号を含まない信号（例えばアナログ信号）では用いることはできない。また、映像信号から同期信号を分離する手段や同期信号を評価する手段など、複雑な構成が必要となる。さらに、遠隔にある対向装置におけるケーブル接続有無は検出できるが、対向装置の電源が投入されているか否かなどの動作状況を検出することはできない。
【０００７】
このように、従来から知られている発明では、ケーブルの接続有無は検出できても、構成が複雑であり、また、特定の信号種別を用いる場合にのみ使用でき、汎用性がない。また、信号を伝送するケーブル以外の手段を用いずに、対向装置の動作状況を検出することはできない。
【発明の開示】
【発明が解決しようとする課題】
【０００８】
本発明は、上記課題に鑑みてなされたものであって、映像や音声等の信号を伝送する装置をケーブルによって接続する際に、対向装置におけるケーブルの接続状況及び動作状態を、簡易な構成によって一方の装置のみで検出することができる検出装置と、同装置を用いたケーブル接続検出方法を提供することを目的とする。
【課題を解決するための手段】
【０００９】
本発明は、電気信号の送信装置と、この電気信号を受信する受信装置とが、有線回線を介して接続していることを検出する装置であって、上記電気信号に電圧を重畳する電圧重畳部を上記送信装置または上記受信装置における上記有線回線の接続部の電圧を判定する判定部と、判定部による判定結果を報知する報知部とを有することを最も主要な特徴とする。
【００１０】
また、本発明は、電気信号の送信装置と、この電気信号を受信する受信装置とが、有線回線を介して接続していることを検出するために、上記有線回線と上記の２つの装置のそれぞれとの間に設置する検出装置であって、上記送信装置と有線回線端部との間に設置する送信側装置が、上記の電気信号に電圧を重畳する電圧重畳部と、上記有線回線の接続端部の電圧を判定する判定部と、判定部による判定結果を報知する報知部とを有し、上記受信装置と有線回線端部との間に設置する受信側装置が、上記重畳された電圧と極性が反対となる電圧を上記電気信号に重畳する逆電圧重畳部とを有していることを特徴とする。
【００１１】
上記受信側装置は、上記判定部の判定結果に応じて動作する増幅部をさらに有してもよく、また、判定部は上記有線回線の接続端部の電圧を積分回路によって取り出し複数の判定手段にそれぞれ印加する構成を有していてもよい。
【００１２】
また、本発明は、上記検出装置において、判定部は、電圧が基準となる電圧よりも小さいと判定したときに出力をする回路で構成されていることを特徴とする。また、上記基準となる電圧は、当該装置の電源電圧を複数の抵抗素子によって分圧することで、上記有線回線の接続端部の電圧を複数段階で判定することができる基準となる電圧であってもよい。また、上記送信側装置と上記受信側装置は、送信装置と受信装置との接続において、互いに入れ換えて有線回線接続端部に接続し、用いても、同様の動作と効果を得ることができる。
【００１３】
さらに本発明は、上記の検出装置を用いた有線接続の検出方法であって、上記電圧重畳部が、電気信号に電圧を重畳するステップと、電圧が重畳された電気信号を受信装置側に出力するステップと、上記逆電圧頂上部が上記有線回線に、逆電圧を重畳するステップと、一方の装置の判定部が上記受信装置側に出力した電気信号の電圧を判定するステップと、上記電圧が所定の電圧値よりも小さい場合、上記報知部を動作させるステップとを有することを特徴とする。
【発明の効果】
【００１４】
本発明によれば、比較的簡易な構成で、対向装置における有線回線の接続検出と動作状態（電源が入っているか否かなど）を検出することができ、それぞれを別々の報知手段で設置作業員に報知することができるので、設置作業を効率的におこなうことができ、また、簡易な構成で実現できるので、メンテナンスが容易となる。
【発明を実施するための最良の形態】
【００１５】
以下、本発明に係る検出装置の実施形態について図を用いて説明する。図１は、本発明に係る検出装置の使用形態と機能構成の例を示すブロック図である。図１において検出装置１−ａは、電圧重畳部１１、信号出力部１２，接続状況検出部１３，検出報知部１４を備えており、伝送対象となる信号を対向側の装置に出力する送信装置３が接続され、この送信装置３が接続するインターフェースとは別のインターフェースに有線回線からなる伝送路（延長ケーブル５）が接続している。送信装置は、例えば映像信号を出力するパーソナルコンピュータやビデオレコーダーである。また、送信装置３は、さらに別の図示しない信号源からの伝送信号を検出装置１−ａに対して出力するものであってもよい。その場合の送信装置は、信号源であるパーソナルコンピュータやビデオレコーダー、音楽再生装置に接続するアンプやイコライザーなどの信号に加工を施すことができる装置である。
【００１６】
延長ケーブル５における検出装置１−ａの接続端部の対向側端部には受信装置４が接続し、受信装置４には図示しない出力装置が接続している。ここで出力装置とは、例えば、ディスプレイやプロジェクターなどの映像出力装置や、オーディオイコライザーやデコーダー、アンプ、スピーカーなどで構成する音声出力装置などである。本実施形態の説明において延長ケーブル５とは、例えば、ツイストペア回線を４回線含むＬＡＮケーブルであって、その中の１信号ライン（１回線）を用いて信号伝送を行なうものである。
【実施例１】
【００１７】
検出装置１−ａが備える電圧重畳部１１は、送信装置３から入力された信号を直流電圧によってバイアスする回路である。信号出力部１２は、直流バイアスされた信号を平衡信号に変換するアンプと、延長ケーブル５の特性インピーダンスとの整合を保つインピーダンス整合用抵抗によって構成されている。接続状況検出部１３は、信号出力部１２によって延長ケーブル５に出力された信号を引き出して、その信号の直流成分を判定する回路によって構成されている。検出報知部１４は、接続状況検出部１３が判定した電圧レベルに応じて検出装置１−ａの外部に対して報知を行なう回路によって構成されている。
【００１８】
次に図２及び図３を用いて、上記各部における回路構成の例とその動作について説明する。以下の説明に用いる送信信号は１Ｖｐ−ｐのデジタルオーディオ信号である。図２は、電圧重畳部１１と信号出力部１２の回路構成例であって、図３は、接続状況検出部１３と検出報知部１４の回路構成例である。図２において、送信装置３（図１参照）から入力された１Ｖｐ−ｐのデジタル信号は、電圧重畳部１１を構成するコンデンサＣ１と抵抗Ｒ１、抵抗Ｒ２によって＋０．５Ｖｄｃにバイアスされる。このバイアスされた信号は、信号出力部１２を構成する送信出力ドライバーである差動平衡出力アンプＡＭＰ１のプラス端子に入力されて、差動平衡信号に変換される。従って、ＡＭＰ１のプラス出力端子からは＋０．５Ｖｄｃにバイアスされた信号が出力され、また、マイナス出力端子からは−０．５Ｖｄｃにバイアスされた信号が出力される。
【００１９】
ＡＭＰ１のプラス出力端子とマイナス出力端子にはそれぞれ、延長ケーブル５の特性インピーダンスとのインピーダンス整合をとるために設けた抵抗Ｒ３及び抵抗Ｒ４が接続されている。この抵抗Ｒ３と抵抗Ｒ４を介して検出装置１−ａは延長ケーブルに接続する。このような構成を介して、送信装置３から入力された信号は受信装置４側に伝送される。
【００２０】
受信装置４に向けて出力された信号の直流成分を取り出すため、図３に示すように、上記の抵抗Ｒ３の延長ケーブル５側から抵抗Ｒ５を介して信号を取り出す。この抵抗Ｒ５は上記の抵抗Ｒ３と比較して高抵抗値を有するものであり伝送信号に影響を与えないように考慮されている。取り出された信号（＋０．５Ｖｄｃにバイアスされている送信信号）は、抵抗Ｒ５とコンデンサＣ２によって構成される積分回路によってデジタル信号成分が除去されて、その直流電圧がＡＭＰ２のマイナス端子に印加される。このＡＭＰ２のマイナス端子に印加された電圧が所定の値であるか否かを判定するために、ＡＭＰ２のプラス端子には、判定用電圧作成抵抗Ｒ６、Ｒ７によって電源電圧を分圧した電圧を印加しておく。
【００２１】
ＡＭＰ２は、プラス端子に印加される電圧とマイナス端子に印加される電圧の大きさの差によって出力が切り換わる比較回路である。したがって、ＡＭＰ２のマイナス端子に印加された電圧がプラス端子に印加された電圧よりも小さければ出力がされ（出力が「Ｈ」）、逆に、ＡＭＰ２のマイナス端子に印加された電圧がプラス端子に印加された電圧よりも大きければ出力がされない（出力が「Ｌ」）。検出報知部１４は、上記のＡＭＰ２からの出力を受けて点灯するＬＥＤ１によって構成されている。
【００２２】
上記の構成において、延長ケーブル５が受信装置４に接続している場合、受信装置４が備える入力インピーダンス整合用抵抗（上記Ｒ３・Ｒ４とほぼ同じ値の抵抗）によって、上記信号のバイアス電圧（＋０．５Ｖｄｃ）は、ほぼ半分の値になる。したがって、延長ケーブル５が受信装置に接続すると上記の抵抗Ｒ３の延長ケーブル５側から抵抗Ｒ５を介して取り出した電圧（ＡＭＰ２マイナス端子に印加される電圧）は、ほぼ＋０．２５Ｖｄｃになる。ＡＭＰ２のプラス端子には、＋０．５Ｖｄｃと＋０．２５Ｖｄｃの中間である＋０．３７５Ｖｄｃが印加されるように、判定用電圧作成抵抗Ｒ６とＲ７の値を設定しておく。従って、延長ケーブル５が受信装置４に接続すると、ＡＭＰ２のマイナス端子に印加される電圧は＋０．２５Ｖｄｃとなり、ＡＭＰ２のプラス端子に印加される電圧（＋０．３７５Ｖｄｃ）との比較によって、ＡＭＰ２の出力は「Ｈ」となり、ＬＥＤ１が点灯する。
【００２３】
延長ケーブル５が受信装置４に接続していない場合は、受信装置４の入力インピーダンス整合用抵抗が接続していないので、上記のように伝送された信号のバイアス電圧が半分にならず、ＡＭＰ２のマイナス端子にはバイアスされた電圧（＋０．５Ｖｄｃ）がそのままの値で印加される。ＡＭＰ２のプラス端子には上記の通り＋０．３７５Ｖｄｃが印加されているので、ＡＭＰ２の出力は「Ｌ」となり、ＬＥＤ１１は点灯しない。
【００２４】
このように、送信装置３側に接続する検出装置１−ａが、遠隔地に設置されている受信装置４に延長ケーブル５が接続されたことを報知することができるので、送信装置３側にのみ設置要員がいる状態であっても、受信装置４に延長ケーブル５が接続しているか否かを判別することができる。
【００２５】
また、本発明に係る検出装置１−ａによれば、接続状況の検出に直流電圧を用いるので、伝送する信号成分の雑音になるなどの悪影響を与えることがない。したがって、伝送する信号がアナログ信号であっても、信号を乱すことがなくデジタル信号の伝送時と同様に用いることが出来る。
【００２６】
なお、上記信号出力部１２のＡＭＰ１は必須の構成部材ではなく、送信装置３が低インピーダンスであれば不要である。その場合であっても、抵抗Ｒ３の延長ケーブル５側の端部から伝送信号を取り出すことで上記と同様に接続の検出をすることができる。
【実施例２】
【００２７】
次に、本発明に係る検出装置の別の実施形態について説明をする。図４は、本発明に係る検出装置の使用形態と機能構成の別の例を示すブロック図である。図４において検出装置１−ｂは、電圧重畳部１１、信号出力部１２、接続状況検出部１５、検出報知部１６を備えて送信装置と接続する送信側装置を構成する送信部１００と、信号受信部２１、プロセスアンプ部２２、逆電圧重畳部２３、接続状況検出部２４、検出報知部２５を備えて受信装置と接続する受信側装置を構成する受信部２００を有してなる。送信部１００は、伝送対象となる信号を対向側の装置に出力する送信装置３が接続され、この送信装置３が接続するインターフェースとは別のインターフェースに有線回線からなる伝送路（延長ケーブル５）が接続している。送信装置は、例えば映像信号を出力するパーソナルコンピュータやビデオレコーダーである。また、送信装置３は、さらに別の図示しない信号源からの伝送信号を検出装置１−ａに対して出力するものであってもよい。その場合の送信装置は、信号源であるパーソナルコンピュータやビデオレコーダー、音楽再生装置に接続するアンプやイコライザーなどの信号に加工を施すことができる装置である。
【００２８】
受信部２００は、送信部１００に接続された延長ケーブル５の対向端が接続され、この延長ケーブル５とは別のインターフェースに、受信した信号を出力する図示しない出力装置が接続される。ここで、出力装置とは、実施例１と同様に例えばディスプレイやプロジェクターである。また、延長ケーブル５は、例えば、ツイストペア回線を４回線含むＬＡＮケーブルである。
【００２９】
図４において、送信部１００は、すでに説明した検出装置１−ａと同様の機能及び構成を一部に具備している。したがって、以下の説明では、異なる部分を中心に説明しそれ以外の説明は省略する。また、検出装置１−ａと同じ構成には、同じ符号を用いて表わしている。
【００３０】
送信部１００が備える接続状況検出部１５は、信号出力部１２によって延長ケーブル５に出力された信号を引き出して、その電圧レベルを判定する回路によって構成されており、対向装置におけるケーブルの接続の判定と、対向装置の動作状況の判定を区別して判定することができる。検出報知部１６は、送信部１００の外部に接続状況検出部１５が判定した電圧レベルに応じた報知を行なう回路によって構成されている。
【００３１】
受信部２００が備える信号受信部２１は、延長ケーブル５の特性インピーダンスとの整合を保つインピーダンス整合用抵抗と、受信した信号を平衡／不平衡変換して出力する受信用差動アンプによって構成されている。プロセスアンプ部２２は、信号受信部２１によって平衡／不平衡変換された信号を元の信号レベルにまで増幅して受信装置４に出力するイコライザー及びアンプであって、接続状況検出部２４からの出力に応じて動作する構成を有している。
【００３２】
逆電圧重畳部２３は、受信した信号に重畳されている電圧とは極性が逆となる直流電圧を延長ケーブル５に重畳する回路によって構成されている。接続状況検出部２４は、延長ケーブル５を介して受信した信号を引き出して、その電圧レベルを判定する回路によって構成されている。検出報知部２５は、受信部２００の外部に接続状況検出部２４が判定した電圧レベルに応じた報知を行なう回路によって構成されている。
【００３３】
次に図５乃至図７を用いて、送信部１００及び受信部２００を構成する各部の回路構成の例とその動作について説明する。以下の説明に用いる送信信号は１Ｖｐ−ｐのデジタルオーディオ信号である。図５は、送信部１００の接続状況検出部１５と検出報知部１６の回路構成例である。図６は、受信部２００の信号受信部２１、プロセスアンプ部２２、逆電圧重畳部２３の回路構成例である。図７は、受信部２００の接続状況検出部２４と検出報知部２５の回路構成例である。
【００３４】
図５において、既に説明した実施例１と同様に、受信装置４に向けて出力された信号の直流成分を取り出すため、抵抗Ｒ３（図２参照）の延長ケーブル５側から抵抗Ｒ５を介して信号を取り出す。この抵抗Ｒ５は上記の抵抗Ｒ３と比較して高抵抗値を有するものであり伝送信号に影響を与えないように考慮されている。取り出された信号（＋０．５Ｖｄｃにバイアスされている送信信号）は、抵抗Ｒ５とコンデンサＣ２によって構成される積分回路によってデジタル信号成分が除去されて、その直流電圧がＡＭＰ２及びＡＭＰ３のマイナス端子に印加される。このＡＭＰ２及びＡＭＰ３のマイナス端子に印加された電圧が所定の値であるか否かを判定するために、ＡＭＰ２及びＡＭＰ３のプラス端子には、判定用電圧作成抵抗Ｒ６、Ｒ７、Ｒ８によって電源電圧を分圧した電圧を印加しておく。
【００３５】
ＡＭＰ２及びＡＭＰ３は、プラス端子に印加される電圧とマイナス端子に印加される電圧の大きさの差によって出力が切り換わる比較回路である。したがって、ＡＭＰ２及びＡＭＰ３のマイナス端子に印加された電圧がプラス端子に印加された電圧よりも小さければ出力がされ（出力が「Ｈ」）、逆に、ＡＭＰ２及びＡＭＰ３のマイナス端子に印加された電圧がプラス端子に印加された電圧よりも大きければ出力がされない（出力が「Ｌ」）。検出報知部１６は、上記のＡＭＰ２及びＡＭＰ３からの出力を受けて点灯するＬＥＤ１及びＬＥＤ２によって構成されている。
【００３６】
次に、受信部２００の特徴ある構成について説明する。図６において、延長ケーブル５を介して受信した信号は、信号受信部２１のインピーダンス整合用抵抗Ｒ１１、Ｒ１２によって終端されて、ＡＭＰ１１によって信号のレベルを送信された元の信号レベルにまで増幅しコンデンサＣ１２を介してプロセスアンプ部２２に出力される。プロセスアンプ部２２は、レベル調整した信号を接続状況検出部２４からの出力に応じて受信装置４に出力する。逆電圧重畳部２３を構成する抵抗Ｒ１３、Ｒ１４は、抵抗Ｒ１１と抵抗Ｒ１２の延長ケーブル５入力端側において、延長ケーブル５のプラス側に−０．５Ｖｄｃを重畳し、マイナス側に＋０．５Ｖｄｃを重畳する。したがって、受信部２００の電源が投入されると、この逆電圧重畳部２３によって、送信部１００において重畳され直流電圧と極性が反対の直流電圧が重畳されることになり、延長ケーブル５におけるバイアスされた電圧は相殺される。
【００３７】
図５に戻って、送信装置１００の接続状況検出部１５において、上記のようにバイアスされた電圧が相殺されると、抵抗Ｒ５とコンデンサＣ２を介してＡＭＰ２及びＡＭＰ３のマイナス端子に印加される電圧は０Ｖｄｃとなる。ＡＭＰ２のプラス端子に印加されている＋０．３７５と、マイナス端子に印加された０ｖとの比較によって、ＡＭＰ１の出力は「Ｈ」となり、この出力によってＬＥＤ１が点灯する。
【００３８】
また、ＡＭＰ３のプラス端子には、＋０．２５Ｖｄｃと０Ｖの中間となる＋０．１２５Ｖｄｃが印加されるように判定用電圧作成抵抗Ｒ６とＲ７とＲ８の値を設定しておく。これによって、ＡＭＰ３のプラス端子に印加されている＋０．１２５と、マイナス端子に印加された０ｖとの比較によって、ＡＭＰ２の出力は「Ｈ」となり、この出力によってＬＥＤ２も点灯する。このように、送信部１００の検出報知部１６が有する複数のＬＥＤによって、受信部２００における延長ケーブル５の接続状況と動作状況を検出して報知することができるようになる。
【実施例３】
【００３９】
次に、上記実施例２に示した検出装置１−ｂにおける受信部２００が具備する接続状況検出部２４と検出報知部２５の実施形態について説明する。図７において、接続状況検出部２４は、延長ケーブル５のプラス側に接続する抵抗Ｒ１５によって引き出された信号が、抵抗Ｒ１５とコンデンサＣ１１によって構成される積分回路によって、デジタル信号成分が除去され、その電圧がＡＭＰ１２のプラス端子に印加される。したがって、受信部２００の電源が投入されると抵抗Ｒ１３によってバイアスされる−０．５ＶｄｃがＡＭＰ１２のプラス端子に印加される。ＡＭＰ１２のマイナス端子には、判定用電圧作成抵抗Ｒ１６、Ｒ１７によって分圧された電源電圧が印加される。ＡＭＰ１２のマイナス端子には−０．１２５Ｖｄｃが印加されるようにしておく。
【００４０】
ＡＭＰ１２は、プラス端子に印加される電圧とマイナス端子に印加される電圧の大きさの差によって出力が切り換わる比較回路であって、プラス端子に印加された電圧がマイナス端子に印加された電圧よりも大きければ出力をし、それ以外の場合は出力をしない。ＡＭＰ１２の出力端子に配置されているＬＥＤ１１は、ＡＭＰ１２の出力によって点灯する。
【００４１】
また、ＡＭＰ１２の出力端子は、プロセスアンプ部２２（図６参照）に接続しており、プロセスアンプ部２２はＡＭＰ１２の出力に応じて動作する。受信部２００の電源が投入された状態で、かつ、延長ケーブル５が接続していないときは、ＡＭＰ１２のプラス端子には−０．５Ｖｄｃが印加され、マイナス端子には−０．１２５Ｖｄｃが印加されるのでＡＭＰ１２は出力をしない。このように、ＡＭＰ１２からの出力が無いときは、ＬＥＤ１１は点灯せずプロセスアンプ部２２は動作しない受信部２００の電源が投入された状態で、かつ、延長ケーブル５が送信部１００と受信部２００に接続しているときは、ＡＭＰ１２のプラス端子に印加される電圧は送信部１００のバイアス電圧と相殺されて０Ｖになるので、ＡＭＰ１２は出力をする。よって、ＬＥＤ１１は点灯し、プロセスアンプ部２２も動作をする。
【００４２】
したがって、図８に示す検出装置１−ｂの全体構成のように用いるときに「ＬＥＤ１１が点灯した状態は送信装置が信号を送信している状態」と決めて運用すれば、ケーブルが正常に接続していない状態や、また、送信部の電源が投入されていない状態、すなわち、信号が伝送されてこない状態ではプロセスアンプ部２２に不要な増幅動作をさせることなく、より適切な装置の運用が可能となる。
【００４３】
また、プロセスアンプ部２２は、接続状況検出部２４からの出力によって、動作の開始及び停止をだけに限らず、所定の信号増幅や減衰、またはイコライザーとして動作させてもよい。
【００４４】
上記実施例１乃至３は、電圧重畳部１１を送信装置３と信号出力部１２の間に設けているが、本発明にかかる検出装置１−ａ及び１−ｂはこれに限らず、電圧重畳部１１を信号出力部１２と延長ケーブル５の間に設けても前述同様の作用、効果を得ることができる。
【００４５】
また、上記実施例１乃至３において、特定の電圧値を用いて説明したが、本発明に係る検出装置は、上記特定の電圧値においてのみ用いることができるものではなく、伝送する電気信号の形態や延長ケーブル５の線路長などによって最適な重畳電圧値や判定電圧値を設定し、それを用いるものである。
【００４６】
上記にて説明した実施例１乃至３では、延長ケーブル５がツイストペアケーブルである平衡伝送回路の場合を例示している。しかし、本発明はこれに限ることなく、同軸ケーブルを延長ケーブル５に用いることも可能である。この場合、図９に示すように、延長ケーブルのプラス側ラインを信号線として、装置間の設置（ＧＮＤ）同士を結んだ平衡回路に置き換えればよい。このように、本発明に係る検出装置は、延長ケーブル５の種類によって制限されることなく、同様の動作及び効果を奏することができる。
【００４７】
また、上記の構成とは異なる構成として、送信部１００を受信装置に接続し、受信部２００を送信装置に接続したときは、送信部１００において、送信装置側に設置されている受信部２００において有線回線が接続されているか否かを検出することができ、かつ、受信部２００の電源が入っているか否かを受信装置側で検出することができるようになる。この場合は、受信装置に接続する送信部２００には、上記にて説明した受信部２００が具備する受信装置へ接続する構成（プロセスアンプ部２２等）を具備する必要がある。また、受信部２００を送信装置に接続した場合は、図示しない送信装置とのインターフェースと信号出力部を介して電気信号を送信する構成を具備する必要がある。
【実施例４】
【００４８】
次に本発明にかかる検出装置を用いる接続状況検出方法について、説明をする。図１０は、検出装置１−ｂを用いた接続状況検出処理の流れを示すフローチャートである。各処理ステップをＳ２１、Ｓ２２・・・のように表わす。図１０において、送信部１００の電源が投入されると、信号に直流電圧がバイアスされて受信装置３側に出力される（Ｓ２１）。また、受信部２００の電源が投入されると延長ケーブル５に逆電圧が印加される（Ｓ２２）。次に、インピーダンス整合用抵抗Ｒ３（図１）の延長ケーブル５側から信号を引き出して、上記のとおり、積分回路を用いて直流成分（直流電圧）を取り出す（Ｓ２３）。
【００４９】
取り出した電圧と、判定用抵抗Ｒ６・Ｒ７・Ｒ８（図５）によって作成された第一判定用電圧とをＡＭＰ２（図５）において比較する（Ｓ２４）。バイアス電圧は、延長ケーブル５（図１）が受信部２００に接続することで、受信部２００が備えている入力インピーダンス整合用抵抗Ｒ１１・Ｒ１２によって半分の値になる。第一判定電圧は、ケーブル接続時のバイアス電圧とケーブル未接続時のバイアス電圧の中間の値になるように、第一判定用抵抗の値を設定されているので、引き出し電圧が第一判定用電圧よりも小さければ、延長ケーブル５が受信部２００に接続していると判定することができる。よって引き出し電圧が第一判定用電圧よりも小さいことをもってＬＥＤ１を点灯する（Ｓ２５）。
【００５０】
また、取り出した電圧と、判定用抵抗Ｒ６・Ｒ７・Ｒ８によって作成された第二判定用電圧とをＡＭＰ３（図５）において比較する（Ｓ２６）。バイアス電圧は、延長ケーブル５（図１）が受信部２００に接続し、かつ、受信部２００の電源が投入されることで印加される直流逆電圧によって、相殺される。第二判定電圧は、ケーブル接続時のバイアス電圧と電源投入時のバイアス電圧の中間の値になるように、第二判定用抵抗の値を設定されているので、引き出し電圧が第二判定用電圧よりも小さければ、延長ケーブル５が受信部２００に接続しており、かつ、受信部２００の電源が投入されていると判定することができる。よって引き出し電圧が第二判定用電圧よりも小さいことをもってＬＥＤ２を点灯する（Ｓ２７）。
【００５１】
このように、検出装置１−ｂを用いることで、遠隔地に設置される受信装置４側に延長ケーブル５が正常に接続されているか否かを簡単に判別することができ、かつ、受信側装置の電源が投入されているか知ることが出来るので、無駄な信号出力を防止することができ、簡易な構成で適切な運用をすることができる。
【００５２】
上記において、検出装置に接続する装置を「送信装置」及び「受信装置」と表記しているが、１回線で平衡伝送路と不平衡伝送路を問わずに双方向通信が可能であり、明確に送信装置、受信装置と分ける必要はなく、双方向伝送器同士においても本発明にかかる検出装置は実施可能である。
【００５４】
また、上記にて説明した本発明に係る検出装置は、重畳する電圧値や判定に用いる電圧値を、あらかじめ設計によって固定しているものであるが、これに限ることなく、延長ケーブルの線路長を設定することに応じた重畳する電圧値と判定に用いる電圧値を可変することができてもよい。
【００５５】
さらに、本発明に係る検出装置における検出報知の手段は、ＬＥＤに限らずスピーカを用いて音で報知することもできる。
【産業上の利用可能性】
【００５６】
本発明は、検出装置１−ａ及び検出装置１−ｂを送信装置３、受信装置４に組み込むことも可能である。
【００５７】
また、長距離の延長ケーブルを用いる場合に、伝送信号の増幅、信号の歪みの補正を行なうケーブル延長装置に本発明に係る検出装置を組み込むことで、上記において説明した特徴を具備するケーブル延長装置を得ることもできる。
【図面の簡単な説明】
【００５８】
【図１】本発明に係る接続状況検出装置の使用形態と機能構成の例を示すブロック図である。
【図２】上記接続状況検出装置に含まれる一部の構成の回路例を示す回路図である。
【図３】上記接続状況検出装置に含まれる一部の構成の回路例を示す回路図である。
【図４】本発明に係る接続状況検出装置の使用形態と機能構成の別の例を示すブロック図である。
【図５】上記接続状況検出装置に含まれる一部の構成の回路例を示す回路図である。
【図６】上記接続状況検出装置に含まれる一部の構成の回路例を示す回路図である。
【図７】上記接続状況検出装置に含まれる一部の構成の回路例を示す回路図である。
【図８】上記接続状況検出装置の全体の回路構成の例を示す構成図である。
【図９】上記接続状況検出装置の全体の回路構成の別の例を示す構成図である。
【図１０】本発明に係る接続状況検出装置を用いた接続検出方法の別の例を示すフローチャートである。
【符号の説明】
【００５９】
１１  直流電圧重畳部
１２  信号出力部
１３  接続状況検出部
１４  検出報知部
１５  接続状況検出部
１６  検出報知部
２１  信号受信部
２２  プロセスアンプ部
２３  直流逆電圧重畳部
２４  接続状況検出部
２５  検出報知部
【要約】
【課題】  映像や音声等の信号を伝送する装置をケーブルによって接続する際に、対向装置におけるケーブルの接続状況及び動作状態を他方の装置において検出することができる検出装置及び同装置を用いたケーブル接続検出方法を提供する。
【解決手段】  本発明は、電気信号の送信装置と、この電気信号を受信する受信装置とが、有線回線を介して接続していることを検出する装置であって、上記電気信号に電圧を重畳する電圧重畳部を上記送信装置または上記受信装置における上記有線回線の接続部の電圧を判定する判定部と、判定部による判定結果を報知する報知部とを有する検出装置による。
【選択図】図１【図１】
0004128213.tif 000002
【図２】
0004128213.tif 000003
【図３】
0004128213.tif 000004
【図４】
0004128213.tif 000005
【図５】
0004128213.tif 000006
【図６】
0004128213.tif 000007
【図７】
0004128213.tif 000008
【図８】
0004128213.tif 000009
【図９】
0004128213.tif 000010
【図１０】
0004128213.tif 000011